(57)【特許請求の範囲】
【請求項１】
駆動ギヤにより回転しディスクを移送するディスク移送ローラを有し、挿入された上記ディスクを挟持して上記ディスク移送ローラの駆動により上記ディスクを装着位置に移送させるディスク移送機構と、
上記装着位置に移送されたディスクが装着されるディスクテーブル及び光学ピックアップ装置が取り付けられるシャーシと、
上記シャーシに対して回動可能に取り付けられると共に、上記ディスクを上記ディスクテーブルとディスクテーブルとで回転自在にチャッキングするチャッキングプレートが取り付けられたチャッキングアームと、
上記シャーシの下面に振動吸収部材を介在させて空隙を隔てて上記シャーシを弾性的に保持してなる外筺体に取り付けられたベースプレートと、
上記ベースプレートの上面に、このベースプレートの面に垂直方向の回動中心軸をもって回動自在に取り付けられたローディング部材と、
上記ローディング部材の上記シャーシの方向に突出した突出部の先端部に設けられたロック鈎爪と、このロック鈎爪に嵌合する上記シャーシに設けられた被ロック部とを有し、上記ロック鈎爪が上記被ロック部に嵌合して、上記シャーシをロックするシャーシロック機構と、
上記ローディング部材に設けられた上記駆動ギヤに噛合されるメインラック部及び上記駆動ギヤを空転させる欠歯部と、上記駆動ギヤに噛合されるサブラック部が設けられ、上記ローディング部材に対して移動可能なサブラック板とを有し、上記駆動ギヤが上記欠歯部に対向して空転しているときに、上記ディスクにより押圧されて移動する伝達機構により上記サブラック板が移動操作されて上記サブラック部が上記駆動ギヤに噛合する移動操作機構とを備え、
上記ローディング部材は、アンローディング方向に回動されているとき、上記ロック鈎爪を上記被ロック部に嵌合させて上記シャーシをロックすると共に、上記ローディング部材に設けられたチャッキングアーム操作部により上記チャッキングアームを上記チャッキングプレートが上記ディスクテーブルと離間する方向に回動させており、
上記ディスクが挿入されると、上記駆動ギヤが回転駆動し、上記ディスク移送ローラを回転して上記ディスクを上記装着位置に移送し、上記ディスクにより上記伝達機構が押圧されると、上記サブラック板が上記ローディング部材に対して移動し上記メインラック部及び上記サブラック部に対して空転している上記駆動ギヤに、上記サブラック部が噛合し、上記サブラック板が上記ローディング部材を伴って移動し、上記メインラック部に上記駆動ギヤに噛合してローディング部材が回動し、
上記ローディング部材がローディング方向に回動すると、上記チャッキングアームが、上記チャッキングアーム操作部により、上記チャッキングプレートが上記ディスクテーブルに近接する方向に回動されて、上記ディスクが上記ディスクテーブルと上記チャッキングプレートによりチャッキングされ、上記ディスクのチャッキングの後、上記ロック鈎爪と上記被ロック部の嵌合が解除され、上記シャーシが上記ベースプレートに対して弾性的に保持されるようにすることを特徴とするディスクローディング装置。
【発明の詳細な説明】
【技術分野】
【０００１】
本発明は、例えば情報信号の記録媒体となるディスクを記録再生部に装着させるディスクローディング装置に適用される移動操作装置に関する。
【背景技術】
【０００２】
従来、光ディスク、磁気ディスク、または、光磁気ディスクの如き情報信号の記録媒体となるディスクが提案されている。そして、このようなディスクに対して情報信号の記録及び／又は再生を行う記録再生部を有して構成されたディスクプレーヤ装置が提案されている。このようなディスクプレーヤ装置は、上記ディスクを上記記録再生部に装着させるためのディスクローディング装置を備えている。このディスクローディング装置は、上記ディスクの移送及び装着を行うための移動操作機構を有して構成されている。
【０００３】
例えば、従来のディスクローディング装置としては、前方側より挿入操作されるディスクを、互いに平行となされて転接された一対のディスク移送ローラにより挟持し、これらディスク移送ローラの駆動力により後方側に移送するように構成されたものがある。
【０００４】
このローディング装置において、上記各ディスク移送ローラにより移送されたディスクは、シャーシ上に上記記録再生部を構成するディスクテーブル上方に至ると、まず、該各ディスク移送ローラによる挟持を解除され、次いで、該ディスクテーブルとこのディスクテーブルの上方に配設されたチャッキングプレートとにより挟持されることによって、該記録再生部へ装着される。上記チャッキングプレートは、基端側が回動可能となされたチャッキングアームの先端側に回転可能に取り付けられている。
【０００５】
上記各ディスク移送ローラを互いに接離させる移動操作、及び、上記チャッキングプレートを上記ディスクテーブルに対して接離させるための上記チャッキングアーム回動操作は、シャーシの側方側に配設されたローディング部材を移動操作することにより行われる。このローディング部材は、外筐体に対して回動可能に支持され、上記ディスクの位置に応じて駆動されるモータの駆動力により、回動操作される。
【０００６】
ところで、上述のようなディスクローディング装置を構成する移動操作装置においては、上記ディスクの移送中には、該ディスクをチャッキングする動作を停止させておく必要がある。このような、ディスクローディング装置における移動操作装置の他にも、一の動作を行っている最中においては他の動作を待機状態としなければならない場合がある。そのため、この移動操作装置を、１個のモータによって駆動されるように構成した場合には、該モータが回転駆動されていても該チャッキングの動作が停止されているという状態を作り出す必要がある。
【０００７】
そのため、従来より、移動操作装置においては、一の動力伝達機構に駆動力が伝達されている間、他の動力伝達機構に対しては、駆動力伝達用の従動ギヤに形成した欠歯によって、駆動力の伝達を遮断しておくことが行われている。
【０００８】
しかしながら、上記欠歯によって駆動力の伝達を遮断することとした場合には、該駆動力の伝達を開始するとき、すなわち、駆動ギヤが該欠歯に臨む最初の歯に噛合するとき、歯同士の位相が合わないと、歯同士が当接してしまい、これら駆動ギヤ及び従動ギヤが停止してしまう虞れがある。このような事故を防止するには、上記欠歯部に臨む最初の歯の歯高を低くすること、あるいは、該最初の歯を弾性的に変位可能としておくことが考えられるが、信頼性、耐久性に問題がある。すなわち、特に、伝達される駆動力が大きい場合や、上記従動ギヤに対する負荷が大きい場合においては、歯の破損や、この従動ギヤが上記駆動ギヤに噛合できないという事態が生ずる虞れがある。
【０００９】
【特許文献１】特公平４−４６７１号公報
【発明の開示】
【発明が解決しようとする課題】
【００１０】
そこで、本発明は、上述の実情に鑑みて提案されるものであって、一の動作の実行中において他の動作を待機状態となし、該一の動作の終了後に該他の動作を開始させるという動作が、良好な耐久性を有して確実に行えるようになされたディスクローディング装置を提供することを目的とする。
【課題を解決するための手段】
【００１１】
上述の目的を達成するために本発明に係るディスクローディング装置は、駆動ギヤにより回転しディスクを移送するディスク移送ローラを有し、挿入された上記ディスクを挟持して上記ディスク移送ローラの駆動により上記ディスクを装着位置に移送させるディスク移送機構と、上記装着位置に移送されたディスクが装着されるディスクテーブル及び光学ピックアップ装置が取り付けられるシャーシと、上記シャーシに対して回動可能に取り付けられると共に、上記ディスクを上記ディスクテーブルとディスクテーブルとで回転自在にチャッキングするチャッキングプレートが取り付けられたチャッキングアームと、上記シャーシの下面に振動吸収部材を介在させて空隙を隔てて上記シャーシを弾性的に保持してなる外筺体に取り付けられたベースプレートと、上記ベースプレートの上面に、このベースプレートの面に垂直方向の回動中心軸をもって回動自在に取り付けられたローディング部材と、上記ローディング部材の上記シャーシの方向に突出した突出部の先端部に設けられたロック鈎爪と、このロック鈎爪に嵌合する上記シャーシに設けられた被ロック部とを有し、上記ロック鈎爪が上記被ロック部に嵌合して、上記シャーシをロックするシャーシロック機構と、上記ローディング部材に設けられた上記駆動ギヤに噛合されるメインラック部及び上記駆動ギヤを空転させる欠歯部と、上記駆動ギヤに噛合されるサブラック部が設けられ、上記ローディング部材に対して移動可能なサブラック板とを有し、上記駆動ギヤが上記欠歯部に対向して空転しているときに、上記ディスクにより押圧されて移動する伝達機構により上記サブラック板が移動操作されて上記サブラック部が上記駆動ギヤに噛合する移動操作機構とを備える。
【００１２】
上記ローディング部材は、アンローディング方向に回動されているとき、上記ロック鈎爪を上記被ロック部に嵌合させて上記シャーシをロックすると共に、上記ローディング部材に設けられたチャッキングアーム操作部により上記チャッキングアームを上記チャッキングプレートが上記ディスクテーブルと離間する方向に回動させている。
【００１３】
上記ディスクが挿入されると、上記駆動ギヤが回転駆動し、上記ディスク移送ローラを回転して上記ディスクを上記装着位置に移送し、上記ディスクにより上記伝達機構が押圧されると、上記サブラック板が上記ローディング部材に対して移動し上記メインラック部及び上記サブラック部に対して空転している上記駆動ギヤに、上記サブラック部が噛合し、上記サブラック板が上記ローディング部材を伴って移動し、上記メインラック部に上記駆動ギヤに噛合してローディング部材が回動する。
【００１４】
上記ローディング部材がローディング方向に回動すると、上記チャッキングアームが、上記チャッキングアーム操作部により、上記チャッキングプレートが上記ディスクテーブルに近接する方向に回動されて、上記ディスクが上記ディスクテーブルと上記チャッキングプレートによりチャッキングされ、上記ディスクのチャッキングの後、上記ロック鈎爪と上記被ロック部の嵌合が解除され、上記シャーシが上記ベースプレートに対して弾性的に保持されるようにする。
【発明の効果】
【００１５】
上述したように本発明によれば、サブラック板のサブラック部が駆動ギヤに噛合して駆動ギヤにより移動操作されてローディング部材を伴って移動し、ローディング部材のメインラック部を該駆動ギヤに噛合させる。したがって、メインラック部が駆動ギヤに噛合するときには、これらメインラック部と駆動ギヤとの接線速度が等しくされており、メインラック部と駆動ギヤとは、円滑に噛合を開始することができる。
【００１６】
また、上記駆動ギヤが上記第ローディング部材の欠歯部に対向して空転しているときに、伝達機構は、サブラック板を移動操作するようにし、伝達機構による動作の完了後に該ローディング部材のメインラック部の該駆動ギヤへの噛合が完了させることができる。
【００１７】
すなわち、本発明は、一の駆動ギヤを用いて動作タイミングの異なるディスクの移送とディスクのチャッキング及びシャーシのロックを確実に行うことができるとともに耐久性を持たせることができる。
【発明を実施するための最良の形態】
【００１８】
以下、本発明の具体的な実施例を図面を参照しながら、次の順序で説明する。
［１］ディスクの構成
［２］記録及び／又は再生部の構成
［３］ディスク装着機構の構成
［４］ローディング部材の構成
［５］ディスク移送機構の構成
［６］ディスク移送制御機構の構成
［７］シャーシロック機構の構成
［８］ディスクローディング装置の動作
（１）初期状態
（２）ディスクの挿入
（３）ディスクの移送
（４）チャッキング動作
（５）アンローディング動作
この例は、本発明に係るディスクローディング装置を、ディスクに対する情報信号の記録及び／又は再生を行うディスクプレーヤ装置に適用した例である。
【００１９】
［１］ディスクの構成
上記ディスクプレーヤ装置において情報信号の記録媒体となるディスクは、図１に示すように、円盤状の基板を有して構成されている。この円盤状の基板の中央部には、このディスク１０１が上記ディスクプレーヤ装置において位置決めされて保持されるためのチャッキング孔１０２が開設されている。
【００２０】
このディスクは、いわゆる光ディスク、または、光磁気ディスクの如き情報信号の記録媒体として使用されるものであって、上記基板の主面部に信号記録面部を有している。この信号記録面部は、光ディスクにあっては、上記基板に形成された情報信号に応じた微細な凹凸及びアルミニウムの如き金属薄膜よりなる反射層を有して形成されている。また、上記光ディスクにおける信号記録面部としては、情報信号に応じて微細な凹凸や孔が形成される色素材料層より形成されたものがある。さらに、上記信号記録面部は、上記光磁気ディスクにあっては、情報信号に応じた方向に垂直磁化される磁性材料層より形成されている。
【００２１】
このディスク１０１に対する情報信号の記録は、光学ピックアップ装置によって、集光させたレーザ光の如き光束を上記信号記録面部に対して照射することにより行われる。また、このディスク１０１よりの情報信号の再生は、光学ピックアップ装置によって、上記光束を上記信号記録面部に対して照射し、この光束の該信号記録面部による反射光束を検出することにより行われる。
【００２２】
［２］記録及び／又は再生部の構成
上記ディスクプレーヤ装置は、図１及び図２に示すように、シャーシ１を有して構成されている。このシャーシ１は、金属の如き材料より、略々矩形の平板状に形成されている。このシャーシ１は、変形可能に構成された複数の振動吸収部材であるダンパ３を介して、ディスクプレーヤ装置の筐体７０の底面部に固定されるベースプレート３６に対し空隙を隔てて略平行に設けられ、いわゆるフローティング状態となるように弾性支持されている。すなわち、上記シャーシ１の前縁側両側部分及び後縁側中央部分の３箇所には、上記ダンパ３が対応して外嵌合されるダンパ支軸２が下面に下方に向けて植設されている。上記各ダンパ３は、上記ダンパ支軸２が嵌合される孔部を有して略々円筒状に形成されており、下端部が上記ベースプレート３６の上面に取り付けられている。上記シャーシ１は、上記ベースプレート３６に振動や衝撃が伝幡しても、上記各ダンパ３が変形して振動及び衝撃を吸収することにより、該振動及び衝撃が伝幡されにくくなっている。
【００２３】
上記シャーシ１には、記録及び／又は再生部が構成されている。この記録及び／又は再生部は、上記ディスク１０１に対する情報信号の記録及び／又は再生を行う装置であって、光学ピックアップ装置５及びディスク装着部であるディスクテーブル６を有して構成されている。
【００２４】
上記ディスクテーブル６は、略々円盤状に形成され、上記シャーシ１の下面に取り付けられたスピンドルモータ７の該シャーシ１の上面側に突出された駆動軸に取り付けられている。このディスクテーブル６は、上面部の中央部分に略々円錐台形状の突起を有しており、上記ディスク１０１が載置されると、該突起を該ディスク１０１のチャッキング孔１０２に嵌合装着させて、該ディスク１０１を位置決めする。そして、このディスクテーブル６は、上記スピンドルモータ７により、回転操作される。
【００２５】
上記光学ピックアップ装置５は、図３に示すように、光学ブロック部を有し、この光学ブロック部内に、半導体レーザの如き光源、この光源の発する光束を導く種々の光学デバイス、該光束を集光させる対物レンズ６６、及び、上記ディスク１０１よりの反射光束を検出するフォトトランジスタの如き光検出器を内蔵して構成されている。この光学ピックアップ装置５は、上記対物レンズ６６により集光させる上記光束を上記ディスク１０１の信号記録面部に照射させ、この光束の該信号記録面部による反射光束を上記光検出器により検出することによって、該信号記録面部に対する情報信号の記録及び／又は再生を行うように構成されている。
【００２６】
上記光学ピックアップ装置５は、図３に示すように、上記シャーシ１の面と平行に回転可能に取り付けられたスクリューシャフト６５に支持されて、上記シャーシ１の面に沿い、かつ、シャーシ１の周辺部から、すなわち本例の場合矩形状のシャーシ１の所定コーナ部の周辺部から上記ディスクテーブル６に接離する方向に移動操作可能となされている。具体的には、上記シャーシ１には送りモータ８が取り付けられており、この送りモータ８の駆動力は、この送りモータ８の駆動軸に取り付けられた駆動ギヤ６０、この駆動ギヤ６０に噛合し支軸６３により回転可能に支持された第１の送り伝達ギヤ６２、この第１の送り伝達ギヤ６２に一体的に形成された第２の送り伝達ギヤ６１、この第２の送り伝達ギヤ６１に噛合し上記スクリューシャフト６５に取り付けられた第３の送り伝達ギヤ６４を介して、上記スクリューシャフト６５を回転させる。上記光学ピックアップ装置５は、上記スクリューシャフト６５のネジ溝に噛合するラック部を有しており、該スクリューシャフト６５の回転に伴ってこのスクリューシャフト６５の軸方向に移動操作される。すなわち、光学ピックアップ装置５の移動通路がシャーシ１の所定コーナ部の周辺部とディスクテーブル６の間に形成されている。また、この移動通路は、後述の略Ｃ字状のローディング部材３７の両端部間に位置し、光学ピックアップ装置５とローディング部材３７とが高さ方向で重なるように設けられ、薄型化が図られている。
【００２７】
上記光学ピックアップ装置５は、上記対物レンズ６６の光軸を上記スピンドルモータ７の駆動軸に平行となしており、上記ディスクテーブル６上に載置されて位置決めされたディスク１０１の信号記録面部に該対物レンズ６６を対向させるように支持されている。そして、この光学ピックアップ装置５は、上記スクリューシャフト６５に沿って移動操作されることにより、上記ディスクテーブル６上のディスク１０１の信号記録面部の内外周に亘って上記対物レンズ６６を対向させる。
【００２８】
なお、上記シャーシ１の下面には、後述するシャーシロック機構を構成する複数の嵌合部、すなわち被ロック部材７３が取り付けられている。
【００２９】
［３］ディスク装着機構の構成
上記シャーシ１には、図１及び図２に示すように、ディスクテーブル６の他にディスク装着機構となるチャッキングアーム１１が取り付けられている。このチャッキングアーム１１は、略々コの字状の部材として形成されており、両端側部分を、上記シャーシ１の後縁側の両側側に設けられた一対の支軸９，９により、回動可能に支持されている。このチャッキングアーム１１の両端側部分には、上記各支軸９，９が対応して嵌合される支軸嵌合孔１２，１２が設けられている。
【００３０】
上記チャッキングアーム１１の略々中央部分に設けられた舌片部１４には、チャッキングプレート１３が回転可能に取り付けられている。このチャッキングプレート１３は、略々円盤状に形成されるとともに、上記舌片部１４に設けられた透孔に回転可能に挿通係合された軸部を有している。また、このチャッキングプレート１３は、上記チャッキングアーム１１に基端側を支持された板バネ１５に上記軸部の上端部を押圧されることにより、下方側、すなわち、上記シャーシ１側に移動付勢されている。そして、このチャッキングプレート１３は、上記ディスクテーブル６の上方側に位置し、上記チャッキングアーム１１の回動によって、図２中矢印Ｐ及び矢印Ｎで示すように、該ディスクテーブル６に対して接離可能となされている。
【００３１】
上記チャッキングアーム１１は、このチャッキングアーム１１の中途部と上記シャーシ１に設けられたバネ掛止片１０との間に張架された引っ張りコイルバネ１７により、図１中矢印Ｌで示すように、上記チャッキングプレート１３を上記ディスクテーブル６に押接させる方向に回動付勢されている。このチャッキングプレート１３は、上記ディスクテーブル６と共働して、このディスクテーブル６上に位置決めされて載置されたディスク１０１をチャッキングして保持する。このチャッキングプレート１３の下面部の中央部分には、上記ディスクテーブル６の突起の上端部の凹部に嵌合する突起が設けられている。
【００３２】
そして、このチャッキングアーム１１は、中途部分より斜め下方側に突設された被操作片部１６を有している。この被操作片部１６は、上記シャーシ１の下方側に延在されている。この被操作片部１６は、上記ベースプレート３６上に配設された後述するローディング部材３７のチャッキングアーム１１を操作する操作部となるチャッキングアーム操作突起３９により、上下方向に移動操作される。この被操作片部１６は、上下方向に移動操作されると、上記チャッキングアーム１１を回動操作する。
【００３３】
［４］ローディング部材の構成
上記ベースプレート３６上には、略Ｃ字状のローディング部材３７が回動可能に配設されている。このローディング部材３７は、図３及び図４に示すように、略円弧状、すなわち略Ｃ字形状に形成された板状の枠体からなり、この円弧に沿った複数の支持スリット４２，４２を有している。このローディング部材３７は、上記各支持スリット４２，４２に上記ベースプレート３６上面に垂直方向に植設された複数のガイドピン７７を対応させて挿通係合させ、このローディング部材３７の円弧に沿って所定角度回動可能に支持されている。すなわち、このローディング部材３７は、上記シャーシ１の下面部に対向するとともに、シャーシ１と空隙を隔てて配置されたベースプレート３６に、このベースプレート３６の面に垂直方向の回動中心軸を持つように回動可能となされている。
【００３４】
上記ローディング部材３７は、上記ベースプレート３６上に配設されたローディングモータ３２により、回動操作される。すなわち、上記ローディングモータ３２の駆動軸には、ウォームギヤ３１が取り付けられている。このウォームギヤ３１には、上記ベースプレート３６上に支軸３５を介して回転可能に取り付けられた第１のウォームホイール３３が噛合している。この第１のウォームホイール３３には、ピニオンギヤ３４が同軸に一体的に形成されている。このピニオンギヤ３４は、上記ローディング部材３７の外周縁部の所定範囲に亘って形成されたメインラック部４６に噛合する。すなわち、上記ピニオンギヤ３４が上記メインラック部４６に噛合しているときには、上記ローディングモータ３２の駆動力により、上記ローディング部材３７が回動操作される。
【００３５】
上記ローディング部材３７は、初期状態、すなわち、上記ディスク１０１に対するローディング操作が開始される前には、図３に示すように、上記メインラック部４６を上記ピニオンギヤ３４に噛合させない回動角度位置となされている。このとき、上記ピニオンギヤ３４は、図１４に示すように、上記メインラック部４６の後方側に欠歯部に対向している。そして、このローディング部材３７は、上記ディスク１０１に対するローディング操作中においては、上記メインラック部４６を上記ピニオンギヤ３４に噛合させて該ピニオンギヤ３４により回動操作され、該ローディング操作の完了時には、図４に示すように、略々該メインラック部４６の設けられた角度範囲に相当する角度に亘って初期状態より回動されている。
【００３６】
上記ローディング部材３７には、上記メインラック部４６の一部に掛かるようにして、サブラック板５２が取り付けられている。このサブラック板５２は、上記ローディング部材３７をなす円弧形状の一部をなす略々円弧形状に形成されている。このサブラック板５２は、前方側支持スリット５５及び後方側に支持スリット５６を有し、これら支持スリット５５，５６に、上記ローディング部材３７上に植設された一対の支持ピン４３，４４を挿通係合させて、このローディング部材３７に対して移動可能に支持されている。
【００３７】
上記後方側支持スリット５６は、上記サブラック板５２の長手方向に形成され、このサブラック板５２を上記ローディング部材３７のなす円弧に沿う前後方向に移動可能となしている。上記前方側支持スリット５５は、上記サブラック板５２の長手方向に形成されるとともに、前方側において上記ローディング部材３７の中心側に屈曲された部分を有している。この前方側支持スリット５５は、上記サブラック板５２を上記ローディング部材３７のなす円弧（円周）に沿う前後方向に移動可能となすとともに、このサブラック板５２が前方側に移動するときには、図１４に示すように、このサブラック板５２の前端側を該ローディング部材３７の円弧に沿う方向と交差する方向、すなわち本例の場合左右方向の左側（ローディング部材の中心側）に移動させ、このサブラック板５２が後方側に移動するときには、図１８に示すように、このサブラック板５２の前端側を該ローディング部材３７の外周側、すなわち左右方向の右側に移動させる。
【００３８】
このサブラック板５２は、後方側部分に突設されたバネ掛止片５４と上記ローディング部材３７に形成されたバネ掛止孔６８との間に張架された引っ張りコイルバネ５３により、図１４中矢印Ｓで示すように、前方側に移動付勢されている。そして、このサブラック板５２の前方側部分であって上記ローディング部材３７の外周縁側となる側縁部には、サブラック部５８が設けられている。このサブラック部５８は、上記メインラック部４６と同一のピッチ及び歯形状を有して形成されている。このサブラック部５８は、上記サブラック板５２が後方側に移動されたときには、図１８に示すように、上記メインラック部４６と同位相となされてこのメインラック部４６の後方側への延長上に位置され、上記ピニオンギヤ３４に噛合する。
【００３９】
また、上記サブラック板５２には、上記サブラック部５８の後方側に位置するテーパ状拡幅部７９、該サブラック部５８の反対側の側縁部、すなわち、このサブラック板５２の前端側であって上記ローディング部材３７の中心側に向かう側縁部に位置する突出片部８０が形成されている。上記テーパ状拡幅部７９は、上記サブラック板５２の前方側、すなわち、上記サブラック部５８側が拡幅される方向のテーパ状に形成されている。上記突出片部８０は、上記ガイドピン７７の近傍に位置しており、後述するように、上記サブラック板５２の前後方向の位置に応じて該ガイドピン７７に当接し、このサブラック部５２の前端側部分の上記ローディング部材３７の左右方向についての位置を規制する。初期状態においては、上記突片部８０は、上記ガイドピン７７の前方側に位置している。上記テーパ状拡幅部７９は、上記ベースプレート３６上に突設されたガイド突片７８の近傍に位置しており、後述するように、上記サブラック板５２の前後方向の位置に応じて該ガイド突片７８に当接し、このサブラック部５２の前端側部分の上記ローディング部材３７の左右方向についての位置を規制する。初期状態においては、上記テーパ状拡幅部７９は、上記ガイド突片７８よりも前方側に位置している。
【００４０】
また、上記ローディング部材３７上の上記サブラック板５２の前端部８１に対向する位置には、当接ピン４５が植設されている。この当接ピン４５は、上記前端部８１に当接することにより、上記サブラック板５２の前方側への移動範囲を規定している。この当接ピン４５には、初期状態においては、図１４に示すように、上記サブラック板５２の前端部８１が上記引っ張りコイルバネ５３の付勢力により圧接されている。
【００４１】
そして、上記サブラック板５２の後端側には、係合スリット５７が設けられている。この係合スリット５７には、ディスク検出レバー４９の係合ピン５０が挿通係合されている。このディスク検出レバー４９は、上記ベースプレート３６の後方側部分に、支軸４８を介して回動可能に支持され、上記係合ピン５０と、上方側に向けて突設されたディスク検出ピン５１とを有している。このディスク検出ピン５１は、上記シャーシ１の後縁部に形成された切り欠き６７を介して、このシャーシ１の上方側に突出されている。
【００４２】
このディスク検出レバー４９は、初期状態においては、図３に示すように、上記引っ張りコイルバネ５３の付勢力により前方側に移動されている上記サブラック板５２に追従して、上記ディスク検出ピン５１を前方側となす方向に回動されている。そして、このディスク検出レバー４９は、後述するディスク移送機構により上記ディスク１０１が上記記録及び／又は再生部上に移送されたときには、このディスク１０１により上記ディスク検出ピン５１が押圧されて、上記引っ張りコイルバネ５３の付勢力に抗して、該ディスク検出ピン５１を後方側となすＺ方向に回動される。このとき、上記サブラック板５２は、図１８中に矢印Ｖで示すように、上記ローディング部材３７に対して後方側に移動操作される。すなわち、上記ディスク１０１がディスク装着部であるディスクテーブルに装着される状態になると、上記サブラック部５８は、上記ピニオンギヤ３４に噛合する。
【００４３】
また、上記ディスク検出レバー４９は、上記ディスク１０１がディスクテーブルに装着される状態になると、図４に示すように、上記ローディング部材３７の回動に伴って上記サブラック板５２が後方側に移動されることにより、上記ディスク検出ピン５１を上記ディスク１０１より離間した後方側となす位置に回動される。
【００４４】
上記ローディング部材３７の上面部には、上記チャッキングアーム操作突起３９が突設されている。このチャッキングアーム操作突起３９は、上記チャッキングアーム１１の被操作片部１６に対応する位置に設けられており、初期状態において、図２及び図９に示すように、該被操作片部１６を上方側に押し上げている。このとき、上記チャッキングプレート１３は、上記ディスクテーブル６より離間されている。そして、上記ディスク１０１のローディング操作に伴い、上記ローディング部材３７が回動されると、上記チャッキングアーム操作突起３９は、図１０中矢印Ｏで示すように、上記被操作片部１６より離間する方向に移動され、該被操作片部１６より離間される。このとき、上記被操作片部１６が図１０中矢印Ｐで示すように下方側に移動し、上記チャッキングプレート１３は、上記ディスクテーブル６側に移動操作される。
【００４５】
また、上記ローディング部材３７の上面部には、後述するディスク移送制御機構を構成するディスク移送制御突起３８と、後述するシャーシロック機構を構成するそれぞれ複数のロック鈎爪４０及びロック突起４１とが突設されている。
【００４６】
［５］ディスク移送機構の構成
このディスクプレーヤ装置は、図１、図２、図５及び図６に示すように、ディスク挟持手段と移送ローラ回転手段からなるディスク移送機構を有している。このディスク挟持手段は、上記シャーシ１の前方側に位置して配設されている。このディスク移送機構は、上記筐体７０の前方側の天板下面部に取り付けられたディスク摺接板１８と、ディスク移送ローラ２２とを有して構成されている。このディスク移送ローラ２２は、両端側部分が徐々に拡径された略々円柱形状を有して形成され、軸方向を上記シャーシ１の面と平行で前縁に略沿う方向に配設されている。
【００４７】
上記ディスク移送ローラ２２は、上記ディスク摺接板１８に接離可能となされるとともに、ディスク移送制御カム部材２０に回転可能に支持されている。すなわち、このディスク移送ローラ２２は、ディスク移送制御カム部材２０の後端縁側部分に対し、回転可能に取り付けられている。このディスク移送制御カム部材２０は、前端の両側側に一対の支軸２１，２１を有し、これら支軸２１，２１を介して、上記筐体７０に対して回動可能に取り付けられている。上記ディスク移送ローラ２２は、上記ディスク移送制御カム部材２０が回動されることにより、図５及び図６に示すように、上記ディスク摺接板１８に対して接離操作される。上記ディスク摺接板１８の下面部には、上記ディスク移送ローラ２２に対応して、溝状の凹部１９が形成されている。
【００４８】
そして、上記ディスク移送制御カム板２０は、このディスク移送制御カム板２０に設けられたバネ掛止部２６と上記ベースプレート３６上に設けられたバネ掛止部２７との間に張架された引っ張りコイルバネ２５により、図１、図５及び図６中に矢印Ｃで示すように、上記ディスク移送ローラ２２を上記ディスク摺接板１８に押接させる方向に回動付勢されている。このディスク移送制御カム板２０の前端縁部は、上記ローディング部材３７上に位置している。そして、このディスク移送制御カム板２０の前端縁部は、上記ディスク移送制御突起３８により、上下方向に移動操作される。
【００４９】
そして、ディスク移送手段のローラ回転機構は、上記ディスク移送ローラ２２を回転駆動させる機構で、上記ローディングモータ３２により、回転操作される。すなわち、上記ローディングモータ３２の駆動軸に取り付けられた上記ウォームギヤ３１には、支軸７２を介して上記筐体７０に回転可能に取り付けられた第２のウォームホイール３０が噛合している。この第２のウォームホイール３０には、第１のディスク移送伝達ギヤ２９が同軸に一体的に形成されている。この第１のディスク移送伝達ギヤ２９には、支軸７１を介して上記筐体７０に回転可能に取り付けられた第２のディスク移送伝達ギヤ２８が噛合している。この第２のディスク移送伝達ギヤ２８には、上記ディスク移送ローラ２２の支軸２３に取り付けられた第３のディスク移送ローラ２４が噛合する。
【００５０】
上記第３のディスク移送伝達ギヤ２４は、上記ディスク移送ローラ２２が上記ディスク摺接板１８に接近しているときには上記第２のディスク移送伝達ギヤ２８に噛合し、該ディスク移送ローラ２２が該ディスク摺接板１８より離間しているときには該第２のディスク移送伝達ギヤ２８への噛合を解除する。この第３のディスク移送伝達ギヤ２４は、初期状態においては、上記第２のディスク移送伝達ギヤ２８に噛合しており、上記ローディングモータ３２が回転駆動されると、このローディングモータ３２の駆動力を伝達して、上記ディスク移送ローラ２２を回転させる。
【００５１】
このディスク移送機構は、上記ディスク摺接板１８と上記ディスク移送ローラ２２とにより上記ディスク１０１を挟持して、この上記移送ローラ２２の回転によって、該ディスク１０１を移送する。すなわち、上記ディスク１０１は、外周縁近傍に上記ディスク移送ローラ２２の外周面部を当接され、このディスク移送ローラ２２の回転に追従して移送操作されるとともに、上記ディスク摺接板１８に対しては滑って移動する。このディスク移送機構は、図２中矢印ＤINで示すように、筐体７０の前面部に形成されたディスク挿入スリット６９を介して外方側より挿入操作された上記ディスク１０１をディスク装着部であるディスクテーブル６の上方位置まで搬入するとともに、図２中矢印ＤOUTで示すように、ディスクテーブル６に装着されていたディスク１０１を、上記ディスク挿入スリット６９を介して外方側に搬出する。
【００５２】
［６］ディスク移送制御機構の構成
このディスクプレーヤ装置においては、上記ディスク移送機構による上記ディスク１０１の搬入が完了する状態のときに、該ディスク移送制御機構による該ディスク１０１に対する移送動作を解除させるディスク移送制御機構が設けられている。また、このディスク移送制御機構は、ディスク装着部であるディスクテーブル６に装着されていたディスク１０１の搬出も行う。
【００５３】
このディスク移送制御機構は、上記ディスク移送制御カム部材２０と、上記ローディング部材３７上に突設されたディスク移送制御突起３８とにより構成されている。すなわち、上記ディスク移送制御カム部材２０の前縁部分には、図７及び図８に示すように、カム凹部７４が形成されている。初期状態においては、上記ディスク移送制御突起３８は、上記カム凹部７４内に嵌入しており、上記ディスク移送制御カム部材２０の前縁部を上方側に押し上げることがない。したがって、このとき、上記ディスク移送ローラ２２は、図６に示すように、上記ディスク摺接板１８に当接されている。
【００５４】
そして、上記ディスク１０１のローディング操作中において、上記ローディング部材３７が回動操作されると、図７中矢印Ｇで示すように、上記ディスク移送制御突起３８が移動され、このディスク移送制御突起３８は、上記カム凹部７４の一側側のテーパ部７５に摺接しつつこのカム凹部７４より抜け出す。すなわち、このとき、上記ディスク移送制御突起３８は、図７中矢印Ｈで示すように、上記ディスク移送制御カム板２０の前縁部を上方側に押し上げ、図５中に矢印Ｅで示すように、上記ディスク移送ローラ２２を上記ディスク摺接板１８より離間させる。
【００５５】
また、上記ディスク１０１のアンローディング操作中において、上記ローディング部材３７が回動操作されると、図８中矢印Ｊで示すように、上記ディスク移送制御突起３８が移動され、このディスク移送制御突起３８は、上記テーパ部７５に摺接しつつ上記カム凹部７４内に嵌入する。このとき、上記ディスク移送制御突起３８の上記ディスク移送制御カム板２０の前縁部に対する押し上げが解除されるため、上記ディスク移送ローラ２２は、図６中に矢印Ｆで示すように、を上記ディスク摺接板１８に当接される。
【００５６】
［７］シャーシロック機構の構成
シャーシロック機構は、上記ローディング部材３７上の３箇所に設けられたロック鈎爪４０と、上記シャーシ１に設けられた３個の被ロック部材７３とにより構成される。各ロック鈎爪４０は、ローディング部材３７よりシャーシ１の方向に突設した突出部の先端側の両側側に、突出された鈎部を有している。これら鈎部は、上記ローディング部材３７の中心方向及び外周側方向に向けて突出されている。また、上記各ロック突起４１は、上記各ロック鈎爪４０の近傍に該ロック鈎爪４０よりも低く突設された突起であって、棒状の形状を有している。そして、上記各被ロック部材７３は、上記シャーシ１の下面に上記各ロック鈎爪４０及び突起４１に対応して配設されており、上記ロック鈎爪４０の先端側の各鈎部が側方側より挿入され該各鈎部に係合するロック溝７６を有している。このロック溝７６は、上記ローディング部材３７の周方向に対して解放されている。このロック溝７６は、上記ロック鈎爪４０の先端側が挿入される側が、該ロック鈎爪４０の先端側が挿入され易いように、テーパ状に拡径されている。
【００５７】
初期状態においては、上記各ロック鈎爪４０は、図１１に示すように、対応する被ロック部材７３のロック溝７６内に先端側を嵌入係合させている。また、この初期状態においては、上記各ロック突起４１は、対応する被ロック部材７３の下面部に先端部を当接係合させている。このとき、上記シャーシ１は、上記ローディング部材３７に対して、すなわち、上記ベースプレート３６に対して移動を阻止され、該ベースプレート３６に対する所定位置に位置決めされている。
【００５８】
そして、上記ディスク１０１のローディング操作中において、ディスクローディング部材３７が回動操作されると、図１２及び図１３に示すように、上記各ロック鈎爪４０は、図１２中矢印Ｒで示すように、対応する被ロック部材７３のロック溝７６内より先端側を抜け出させる。また、このとき、上記各ロック突起４１は、対応する被ロック部材７３の下面部より先端部を離間させる。このとき、上記シャーシ１は、上記各ダンパ３の変形による上記ベースプレート３６に対する移動が可能となされている。すなわち、シャーシ１は、ローディング部材３７が取り付けられたベースプレート３６に対して弾性的に支持される。
【００５９】
［８］ディスクローディング装置の動作
（１）初期状態
上述のように構成された本発明に係るディスクローディング装置を備えたディスクプレーヤ装置においては、初期状態にあっては、図３、図６、図８、図９、図１１、図１４及び図２７に示すように、上記ローディング部材３７は、上記メインラック部４６の後方の欠歯部を上記ピニオンギヤ３４に対向させる回動角度位置となされている。そして、上記ローディングモータ３２は、停止している。上記サブラック板５２は、上記ローディング部材３７に対して前方側に位置しており、上記サブラック部５８を上記ローディング部材３７の中心方向の後退させている。上記ディスクテーブル６上には、上記ディスク１０１が載置されていない。上記チャッキングアーム１１は、上記チャッキングプレート１３を上記ディスクテーブル６より離間されている。上記ディスク移送ローラ２２は、上記ディスク摺接板１８に当接されている。そして、ロック鈎爪４０が被ロック部材７３に嵌合して、シャーシ１は、ベースプレート３６に係合保持、すなわちロックされている。
【００６０】
（２）ディスクの挿入
上記ディスク挿入スリット６９より上記ディスク１０１が挿入され、このディスク１０１が上記ディスク移送ローラ２２の近傍に至ると、このディスク１０１の存在は、図示しないセンサ、例えば光センサにより、検出される。このディスクプレーヤ装置には、上記センサによる検出に応じて、上記ローディングモータ３２の駆動を制御する制御回路が設けられている。この制御回路は、上記センサによるディスク１０１の検出がなされると、上記ローディングモータ３２を、上記ディスク移送ローラ２２が該ディスク１０１を上記ディスクテーブル６側に移送する方向に回転される方向に回転駆動する。このとき、上記ローディング部材３７は、上記メインラック部４６が上記ピニオンギヤ３４に噛合していないため、回動操作されることはなく、初期状態のままに停止されている。
【００６１】
（３）ディスクの移送
上記ディスク１０１は、上記ディスク移送ローラ２２と上記ディスク摺接板１８とにより挟持された状態で、該ディスク移送ローラ２２により、上記シャーシ１上となる位置まで移送される。上記シャーシ１上まで移送されたディスク１０１は、上記ディスク検出ピン５１を押圧して、上記ディスク検出レバー４９を、図３中矢印Ｚで示すように、上記サブラック板５２を上記ローディング部材３７の後方側に移動させる方向に回動させる。
【００６２】
（４）チャッキング動作
上記ディスク検出レバー４９が上記ディスク１０１により回動されると、上記サブラック板５２は、図１５及び図２８中矢印Ｖで示すように、上記引っ張りコイルバネ５３の付勢力に抗して、上記ローディング部材３７の後方側に移動される。そして、上記サブラック板５２は、図１６、図２９及至図３１に示すように、上記サブラック部５８を上記ローディング部材３７の外周側、すなわち本例では左右方向の右側の方向に進出させ、このサブラック部５８を上記ピニオンギヤ３４に噛合させる。このとき、上記ピニオンギヤ３４は、図１６及び図３１中矢印Ｔで示すように、上記サブラック板５２を後方側に移動させる方向に回転操作されているため、図１８に示すように、該サブラック板５２を、図１８中矢印Ｖで示すように、後方側に移動させる。
【００６３】
上記サブラック板５２が後方側に移動されることにより、図１９及び図３１に示すように、上記サブラック部５８と上記ラック４６とが同位相となされるため、上記ピニオンギヤ３４は、該サブラック部５８への噛合に連続して、図３２及至図３５に示すように、上記メインラック部４６に噛合する。したがって、上記ピニオンギヤ３４は、図２０及至図２２に示すように、上記ローディング部材３７を、図４中の矢印Ｂ及び図２０及至図２２中の矢印Ｘで示すローディング方向に回動させる。このとき、上記サブラック板５２は、上記突片部８０を上記ガイドピン７７により当接支持されており、上記サブラックギヤ部５８を上記ローディング部材３７の中心方向、すなわち左右方向の左側に後退させることを阻止されている。
【００６４】
上記ローディング部材３７が、さらに、図２２中矢印Ｘで示す上記ローディング方向に回動されると、図２３に示すように、上記サブラック板５２は、上記テーパ状拡幅部７９を上記ガイド突片７８に当接させ、図２４及至図２６に示すように、該ローディング部材３７に対する前方側位置に復帰される。このときには、上記突片部８０は、上記ガイドピン７７に当接しない位置に移動されている。そして、上記ローディング部材３７は、図４に示すように、ローディングの完了位置まで回動され、この位置において上記ローディングモータ３２が停止されることにより、停止される。上記ディスク検出レバー４９は、上記ディスク検出ピン５１を上記ディスク１０１より離間させた後方側に移動させる位置まで回動されている。
【００６５】
上述のように上記ローディング部材３７が上記ローディング方向に回動される過程においては、まず、図５及び図７に示すように、上記ディスク移送制御突起３８が、図５中矢印Ｄで示すように、上記ディスク移送制御カム板２０を回動させて、図５中矢印Ｅで示すように、上記ディスク移送ローラ２２を上記ディスク摺接板１８より離間させる。上記ディスク移送ローラ２２が上記ディスク摺接板１８より離間されることにより、上記ディスク移送機構の上記ディスク１０１に対する移送動作が解除される。上記ディスク移送ローラ２２が上記ディスク摺接板１８より離間された後、図１０に示すように、上記チャッキングアーム１１が回動され、上記ディスク１０１は、上記ディスクテーブル６と上記チャッキングプレート１３とによりチャッキングされる。そして、上記ディスク１０１が上記ディスクテーブル６と上記チャッキングプレート１３とによりチャッキングされた後、図１２及び図１３に示すように、上記ロック鈎爪４０及び上記ロック突起４１が、上記被ロック部材７３より離間して、ベースプレート３６による上記シャーシ１に対する保持を解放する。
【００６６】
このようにして、上記１０１に対するローディングが完了され、該ディスク１０１は、上記ディスクテーブル６とともに上記スピンドルモータ７により回転操作されるとともに、上記光学ピックアップ装置５により情報信号の記録及び／又は再生を行われ得る状態となっている。
【００６７】
（５）アンローディング動作
上記ディスク装着部であるディスクテーブル６に装着されたディスク１０１を外方側に排出するアンローディング動作においては、上記ローディングモータ３２が、上述したローディング動作時とは逆の方向に回転駆動される。すると、上記ローディング部材３７は、図２６中矢印Ｙで示すように、初期状態に復帰する方向であるアンローディング方向に回動操作される。
【００６８】
上記ローディング部材３７の上記アンローディング方向への回動により、まず、図１１に示すように、上記ロック鈎爪４０及び上記ロック突起４１が、上記被ロック部材７３に嵌合して、上記シャーシ１を保持する。上記シャーシ１が上記ロック鈎爪４０及び上記ロック突起４１により保持された後、図９に示すように、上記チャッキングアーム操作突起３９により上記チャッキングアーム１１が回動される。このチャッキングアーム１１は、上記チャッキングプレート１３を上記ディスク１０１より離間させて、このディスク１０１に対する該チャッキングプレート１３と上記ディスクテーブル６とによるチャッキングを解除する。上記ディスク１０１に対する上記チャッキングプレート１３と上記ディスクテーブル６とによるチャッキングが解除された後、図６及び図８に示すように、上記ディスク移送制御カム板２０が、上記ディスク移送制御突起３８による回動操作を解除され、上記引っ張りコイルバネ２５により初期状態に復帰されて、上記ディスク移送ローラ２２により、上記ディスク摺接板１８と共働して、上記ディスク１０１を挟持する。このとき、上記ディスク移送ローラ２２は、上記ローディングモータ３２の駆動力により回転操作されているため、図６中矢印ＤOUTで示すように、上記ディスク１０１を上記筐体７０の外方側に排出する。
【００６９】
上記ローディング部材３７が、図２５及び図２４に示すように、上記アンローディング方向に回動されると、上記サブラック板５２は、上記突片部８０を上記ガイドピン７７に当接させることによって、図２３及び図１７に示すように、該ローディング部材３７の回動に伴って上記サブラック部５８を上記ローディング部材３７の外周側方向に進出させる。このとき、上記サブラック部５８は、上記メインラック部４６に同位相となるため、上記ピニオンギヤ３４は、該メインラック部４６に連続して上記サブラック部５８に噛合して、上記ローディング部材３７を上記アンローディング方向に回動させる。
【００７０】
上記ローディング部材３７が初期状態に復帰されたとき、図１６に示すように、上記サブラック板５２は、上記突片部８０を上記ガイドピン７７に当接させない位置となされている。そして、このサブラック板５２は、図１５中に矢印Ｗで示すように、上記引っ張りコイルバネ５３の付勢力により初期状態に復帰する方向に移動操作され、図１４に示すように、上記前端部８１を上記当接ピン４５に当接させた初期位置にて停止される。
【図面の簡単な説明】
【００７１】
【図１】本発明に係るディスクローディング装置の構成を示す分解斜視図である。
【図２】上記ディスクローディング装置の構成を示す側方側より臨んだ縦断面図である。
【図３】上記ディスクローディング装置の構成を示す平面図である。
【図４】上記ディスクローディング装置がディスクのローディングを完了した状態を示す平面図である。
【図５】上記ディスクローディング装置のディスク移送機構の構成を示す要部拡大側面図である。
【図６】上記ディスク移送機構のディスクを搬送する状態を示す要部拡大側面図である。
【図７】上記ディスク移送機構を制御するディスク移送制御機構の構成を示す要部拡大正面図である。
【図８】上記ディスク移送制御機構がディスクが移送されるように制御した状態を示す要部拡大正面図である。
【図９】上記ディスクローディング装置のディスク装着機構の構成を一部を破断して示す要部側面図である。
【図１０】上記ディスク装着機構がディスクを装着させた状態を示す要部側面図である。
【図１１】上記ディスクローディング装置のシャーシロック機構の構成を示す側方側より臨んだ要部拡大縦断面図である。
【図１２】上記シャーシロック機構がロックを解除した状態を示す側方側より臨んだ要部拡大縦断面図である。
【図１３】上記シャーシロック機構がロックを解除した状態を示す前方側より臨んだ要部拡大縦断面図である。
【図１４】上記ディスクローディング機構のローディングリングの要部及びサブラック板の初期状態における構成を示す要部拡大平面図である。
【図１５】ディスクのローディングが開始されて上記サブラック板が移動を開始した、または、アンローディングが略々終了されて該サブラック板の移動が略々終了された状態を示す要部拡大平面図である。
【図１６】ローディング時に上記サブラック板がピニオンギヤに噛合し始めた状態、または、アンローディング時に該噛合が解除され始めた状態を示す要部拡大平面図である。
【図１７】アンローディング時に上記サブラック板がピニオンギヤに噛合し始めた状態を示す要部拡大平面図である。
【図１８】ローディング時に上記サブラック板がピニオンギヤに噛合した状態を示す要部拡大平面図である。
【図１９】ローディング時に上記ピニオンギヤによりローディングリングの移動が開始された状態を示す要部拡大平面図である。
【図２０】ローディング時に上記ピニオンギヤがローディングリングのラック部に噛合し始めた状態を示す要部拡大平面図である。
【図２１】ローディング時に上記ピニオンギヤがローディングリングのラック部に噛合して移動操作を開始した状態を示す要部拡大平面図である。
【図２２】ローディング時に上記ピニオンギヤが上記ラック部によりローディングリングを移動させている状態を示す要部拡大平面図である。
【図２３】ローディング時に上記ピニオンギヤが上記ラック部によりローディングリングを移動させているとともにサブラック板が後退し始めている状態、または、アンローディング時に上記ピニオンギヤが上記ラック部によりローディングリングを移動させているとともにサブラック板の前進が略々完了した状態を示す要部拡大平面図である。
【図２４】ローディング時に上記ピニオンギヤが上記ラック部によりローディングリングを移動させているとともにサブラック板が後退している状態、または、アンローディング時に上記ピニオンギヤが上記ラック部によりローディングリングを移動させているとともにサブラック板が前進している状態を示す要部拡大平面図である。
【図２５】ローディング時に上記ピニオンギヤが上記ラック部によりローディングリングを移動させているとともにサブラック板が後退した状態、または、アンローディング時に上記ピニオンギヤが上記ラック部によりローディングリングを移動させているとともにサブラック板が前進していない状態を示す要部拡大平面図である。
【図２６】上記ピニオンギヤによるローディングリングの移動が完了しローディングが完了した状態、すなわち、アンローディング開始前の状態を示す要部拡大平面図である。
【図２７】上記サブラック板及びローディングリングのラック部の初期状態における構成を示す要部拡大平面図である。
【図２８】ローディング時に上記サブラック板の移動が開始された状態を示す要部拡大平面図である。
【図２９】ローディング時に上記サブラック板へのピニオンギヤの噛合が開始された状態を示す要部拡大平面図である。
【図３０】ローディング時に上記サブラック板へのピニオンギヤの噛合が開始された状態を示す要部拡大平面図である。
【図３１】ローディング時に上記サブラック板にピニオンギヤが噛合した状態を示す要部拡大平面図である。
【図３２】ローディング時に上記ローディングリングが移動されてラック部へのピニオンギヤの噛合が開始された状態を示す要部拡大平面図である。
【図３３】ローディング時に上記ピニオンギヤがラック部を介してローディングリングを移動させている状態を示す要部拡大平面図である。
【図３４】ローディング時に上記ローディングリングが移動されてサブラック板へのピニオンギヤの噛合が解除された状態を示す要部拡大平面図である。
【図３５】ローディング時に上記ピニオンギヤがラック部を介してローディングリングをさらに移動させている状態を示す要部拡大平面図である。
【符号の説明】
【００７２】
１ シャーシ、５ 光学ピックアップ装置、６ ディスクテーブル、７ スピンドルモータ、１１ チャッキングアーム、１３ チャッキングプレート、１８ ディスク摺接板、２０ ディスク移送制御カム部材、２２ ディスク移送ローラ、３２ ローディングモータ、３４ ピニオンギヤ、３７ ローディングリング、３８ ディスク移送制御突起、３９ チャッキングアーム操作突起、４０ ロック鈎爪、４１ ロック突起、４６ メインラック部、５２ サブラック板、５８ サブラック部、７３ 被ロック部材、１０１ ディスク
【図１】
0003714352.tif 000002
【図２】
0003714352.tif 000003
【図３】
0003714352.tif 000004
【図４】
0003714352.tif 000005
【図５】
0003714352.tif 000006
【図６】
0003714352.tif 000007
【図７】
0003714352.tif 000008
【図８】
0003714352.tif 000009
【図９】
0003714352.tif 000010
【図１０】
0003714352.tif 000011
【図１１】
0003714352.tif 000012
【図１２】
0003714352.tif 000013
【図１３】
0003714352.tif 000014
【図１４】
0003714352.tif 000015
【図１５】
0003714352.tif 000016
【図１６】
0003714352.tif 000017
【図１７】
0003714352.tif 000018
【図１８】
0003714352.tif 000019
【図１９】
0003714352.tif 000020
【図２０】
0003714352.tif 000021
【図２１】
0003714352.tif 000022
【図２２】
0003714352.tif 000023
【図２３】
0003714352.tif 000024
【図２４】
0003714352.tif 000025
【図２５】
0003714352.tif 000026
【図２６】
0003714352.tif 000027
【図２７】
0003714352.tif 000028
【図２８】
0003714352.tif 000029
【図２９】
0003714352.tif 000030
【図３０】
0003714352.tif 000031
【図３１】
0003714352.tif 000032
【図３２】
0003714352.tif 000033
【図３３】
0003714352.tif 000034
【図３４】
0003714352.tif 000035
【図３５】
0003714352.tif 000036